(57)【要約】      （修正有）【課題】スライド可能な天板を備えたテーブル（机）において、天板のガタ付きを無くす。【解決手段】天板２は、溝型レール１６とガイドピン１７とより成るスライドガイド装置を介して脚３で前後スライド可能に支持されている。脚３には、ロック装置１５を構成する下機構部が取付けられている一方、天板２の下面部に、ロック装置を構成する前後一対のキャッチ部材２３が固定されている。下機構部水平回転式の操作ハンドルを有しており、操作ハンドルにおける非円形のストッパー突起がキャッチ部材２３のストッパー片に嵌合すること、及び、ストッパー突起に設けた中心穴にキャッチ部材２３のセンター突起が嵌まることにより、天板２は前後左右にずれ不能に保持される。【選択図】図２
2008136795.tif 000002
【特許請求の範囲】
【請求項１】
天板と、前記天板を支持する脚装置と、前記天板の前後スライドを許容するために当該天板と脚装置とに設けたスライドガイド装置と、天板をガタ付き不能に保持するロック装置とが備えられている、
テーブル。
【請求項２】
前記ロック装置は、天板の下面部に設けた雌型係合部材と、前記雌型係合部材に下方から嵌脱させ得る状態で前記脚装置に設けた雄型係合部材とを備えており、前記雌型係合部材を前後方向に沿って複数個設けることにより、天板を複数の位置で前後動不能に保持できるようになっている、
請求項１に記載したテーブル。
【請求項３】
前記雄型係合部材は、平面視で非円形の雄型ストッパー部を備えている一方、前記雌型係合部材は、前記雄型係合部材を水平回転させると前記雄型ストッパー部が遊嵌する状態ときっちり突っ張る状態とに切り替わる雌型ストッパー部が形成されている、
請求項２に記載したテーブル。
【請求項４】
スライドガイド装置のうち脚装置に設けるガイド部材を左右位置変更可能な状態で脚装置に固定すると共に、ロック装置のうち脚装置に設ける部材を左右位置変更可能な状態で脚装置に固定しており、これらにより、一つの脚装置で１枚の天板の端部が支持されたシングル支持仕様と隣り合った２枚の天板の端部が一つの脚装置で支持された併設支持仕様との両方に切り替え可能になっている、
請求項１〜３のうちの何れかに記載したテーブル。
【発明の詳細な説明】
【技術分野】
【０００１】
本願発明は、天板を脚装置で支持してなるテーブル（机）に関するものである。
【背景技術】
【０００２】
脚装置で天板を支持したテーブルにおいて、天板を脚装置で前後スライド可能に支持して、天板の前後位置を段階的に又は無段階的に調節できるようにすることが行われている。そして、天板の前後スライドを許容するためには、例えば固定レールと可動レールとからなるガイドレール装置のように、脚と天板とに、互いに嵌まり合うスライドガイド装置を設けている（例えば特許文献１）。
【特許文献１】特開２００５−２１１４２１号公報
【発明の開示】
【発明が解決しようとする課題】
【０００３】
スライドガイド装置は複数の部材が互いに嵌まり合うことで構成されているが、加工誤差やスライドの容易性等のために複数の部材間の間の隙間を完全に無くすことは現実に不可能であり、部材間には多少の隙間が存在するのが普通である。このため、テーブルの天板上で様々の作業において、作業に伴って天板に外力が作用することで天板に水平方向のガタ付きが生じることがあった。また、何らかの理由でテーブルに振動が作用すると、この振動によって天板がカタカタとがた付くこともあった。
【０００４】
本願発明は、この問題を解消することを主たる課題とするものである。
【課題を解決するための手段】
【０００５】
本願発明は幾つかの構成を備えている。このうち請求項１の発明に係るテーブルは、天板と、前記天板を支持する脚装置と、前記天板の前後スライドを許容するために当該天板と脚装置とに設けたスライドガイド装置と、天板をガタ付き不能に保持するロック装置とが備えられている。
【０００６】
請求項２の発明では、請求項１において、前記ロック装置は、天板の下面部に設けた雌型係合部材と、前記雌型係合部材に下方から嵌脱させ得る状態で前記脚装置に設けた雄型係合部材とを備えており、前記雌型係合部材を前後方向に沿って複数個設けることにより、天板を複数の位置で前後動不能に保持できるようになっている。
【０００７】
請求項３の発明は、請求項２において、前記雄型係合部材は、平面視で非円形の雄型ストッパー部を備えている一方、前記雌型係合部材は、前記雄型係合部材を水平回転させると前記雄型ストッパー部が遊嵌する状態ときっちり突っ張る状態とに切り替わる雌型ストッパー部が形成されている。
【０００８】
請求項４の発明は、請求項１〜３のうちの何れかにおいて、スライドガイド装置のうち脚装置に設けるガイド部材を左右位置変更可能な状態で脚装置に固定すると共に、ロック装置のうち脚装置に設ける部材を左右位置変更可能な状態で脚装置に固定しており、これらにより、一つの脚装置で１枚の天板の端部が支持されたシングル支持仕様と隣り合った２枚の天板の端部が一つの脚装置で支持された併設支持仕様との両方に切り替え可能になっている。
【発明の効果】
【０００９】
本願発明によると、天板はロック装置によってガタ付き不能に保持されるため、使用に際して天板がガタ付いたり外部から伝わった振動によってガタ付いたりすることはなく、このため使用者や周囲の人が不快感を感じることを防止できる。
【００１０】
ところで、スライド式天板を有するテーブルにおいて、天板は前後位置を複数段階に切り替えることが行われており、このためには、天板を所定位置において前後動不能に保持するストッパー手段（或いは位置決め手段）が必要である。しかして、請求項２の発明によると、ロック装置を構成する係合部材が天板の位置を規定する部材を兼用するため、天板の位置決め用のストッパー装置を別に設ける必要がない。従って、請求項２によると、天板の前後位置を複数に切り替えできるテーブルにおいて、構造を簡素化した状態で天板のガタ付きを防止できる利点がある。
【００１１】
ロック装置で天板のガタ付きを阻止するための具体的な構造は多々採用し得るが、請求項３のように構成すると、回転式の雄型係合部材を回転操作するだけで良いため、天板のロック操作をごく簡単に行える利点がある。
【００１２】
テーブルはその複数個を左右に並設することが広く行われており、この場合、左右に隣り合った天板を一つの脚装置で支持することにより、左右のテーブルで一つの脚装置を共用することが行われている。このように構成すると、多数のテーブルから成るテーブル群の全体の構成を簡素化できる利点がある。そして、請求項４の構成を採用すると、スライドガイド装置とロック装置とは、左右に隣り合ったテーブルで脚装置を共用した状態（換言すると左右の天板が脚装置で連結されている状態）の並設支持使用と、脚装置で１枚の天板の端部が支持されているだけのシングル支持仕様との両方に対応できる利点がある。
【００１３】
本願発明では、請求項４とは異なって、並設支持仕様のためのスライドガイド装置及び／又はロック装置を別に設けることも可能である。また、本願発明の脚装置は天板を支持する機能を有するものを含む概念であり、従って、通常の脚が含まれるのは当然ながら、袖キャビネットのように他に主用途を備えているものも含まれる。
【発明を実施するための最良の形態】
【００１４】
次に、本願発明の実施形態を図面に基づいて説明する。
【００１５】
(1).テーブルの概略
図１のうち（Ａ）はテーブル１の平面図、（Ｂ）は（Ａ）のＢ−Ｂ視断面図である。テーブル１は、木製の天板２と、天板２を左右端部において支える金属製の左右の脚３と、左右脚３の後端に連結した金属板製のバックフレーム４とを主要部材として備えている。天板２は右側寄りの部分が手前に張り出した平面視Ｌ字形に近い形状になっており、張り出し部２ａは棒状の補助足５で支えられている。天板２の後端部には、開閉式蓋で覆われたコンセントユニット６を設けている。コンセントユニット６には電源用コンセントの他に通信線用プラグなども設けている。
【００１６】
脚３は脚装置の一例であり、中空状で側面視角形の基部６から上下のアーム８，９を前向き突出した側面視コ字状に形成されている。詳細は省略するが、脚３における基部７には外向きに開口した配線通路が形成されており、配線通路は着脱式のカバーで塞がれている。
【００１７】
バックフレーム４は幕板を兼用しており、四周は折り返されて剛体構造になっている。本実施形態ではバックフレーム４はテーブル１を堅牢な状態に保持するための強度メンバーの役割を果たしており、例えば左右側部に形成した係合穴を脚３の背面に突設した頭付きピンに嵌め込むといった方法により、脚３に取り付けられている。
【００１８】
図１の状態では天板２の左右端面は左右脚３の外側面とほぼ同じに揃えられているが、１つの脚３で左右に隣り合った天板２の端部を支持することも可能であり、この場合は、左右に隣り合ったバックフレーム４の端部は一つの脚３の背面の半分に重なっており、その状態でバックフレーム４と脚３とが連結されている。
【００１９】
バックフレーム４の上面は天板２の上と略同じ高さになっている。天板２は、図１に実線で示す後退位置と一点鎖線で示す前進位置との２つの位置に選択的に保持できる。天板２が後退位置にある状態で当該天板２とバックフレーム４との間にはある程度の巾を有する配線空間１０が空いている。天板２が前進位置にあるときは配線空間１０の巾は当然に広くなり、このため、大きなコネクタ類も出し入れできる。
【００２０】
バックフレーム４の前面には配線受け樋１１を装着している。また、左右脚３は、基部７の前後略中間部でかつ上端部の箇所において補強ビーム１２で連結されている。補強ビーム１２は中空角形の部材を仕様しており、天板２との間にはごく僅かの隙間が空いている（密着させても良い）。
【００２１】
(2).天板と脚との連結構造の概略
次に、天板２と脚３との連結構造を図２以下の図面を参照して説明する。図２はテーブル１の左端部の平面図、（Ｂ）は（Ａ）の一部省略Ｂ−Ｂ視断面図（Ｃ）は（Ａ）のＣ−Ｃ視断面図、図３は天板２の部分的な一部破断裏面図である。
【００２２】
これら図２（Ａ）及び図３に示すように、天板２の左右両端部の下面部には、請求項に記載したスライドガイド装置の一環として、天板側のガイド部材である溝型レール１６が固定されている一方、脚３の上面には、脚側のガイド部材の一例として、溝型レール１６に抜け不能でスライド自在に嵌まるガイドピン１７が配置されている。ガイドピン１７は頭部を有している。
【００２３】
溝型レール１６は前後方向に長く延びており、開口部を挟んで相対向した内向きフランジ１６ａとこの内向きフランジに連接して外側に張り出した外向きフランジ１６ｂとを有している。溝型レール１６は天板２の下面に形成した前後長手の凹溝穴１８に嵌め込まれていて外向きフランジ１６ｂがビス１９で天板２に固定されている。溝型レール１６の下面は天板２の下面と同一面に揃えられている。
【００２４】
また、天板２の凹溝穴１８には溝型レール１６よりも手前に延びた延長部１８ａが形成されており、延長部１８ａの前後巾手寸法はガイドピン１７の頭部の外径寸法よりも少し長くなっている。従って、凹溝穴１８を延長部１８ａの箇所においてガイドピン１７に嵌め入れてから、天板２を手間側にずらすと、ガイドピン１７の頭部が溝型レール１６に嵌まって、天板２は前後スライド可能でかつ上向き移動不能に保持される。
【００２５】
天板２と脚３とを連結しておくためには、ガイドピン１７の頭部が溝型レール１６に嵌まっている必要があり、後述するロック装置が機能していない状態でも、不測の事態を防止するため、天板２が後退位置から更に後退して天板２だけが持ち上げられる状態は阻止する必要がある（机の分解時は別にして）。そこで、図２（Ｃ）に示すように、天板２が後退位置にあるとき補強ビーム１２の前面に当たって天板２の後退動を阻止する戻り止めストッパー２０をビス２１で固定している。
【００２６】
天板２は、その前部と後部とが溝型レール１６とガイドピン１７との嵌め合わせによって脚３に連結されている。このため、天板２を持ち上げるテーブル１の全体を持ち上げることができる。そして、天板２の前部と脚３の前部とに、天板２を後退位置と前進位置との２つの位置に選択的にかつガタ付きのない状態に保持するためのロック装置が設けられている。
【００２７】
ロック装置は、脚３に設けた下機構部２２と、天板２の下面部に固定したキャッチ部材２３とで構成されており、キャッチ部材２３は２個あり、天板２の下面部のうち前部の溝型レール１６よりも内側の部位に前後に隔てて配置されている。前後キャッチ部材２３の間隔は天板２の後退位置と前進位置とのストロークと同じ寸法になっている。図４〜図８も参照してロック装置の詳細を説明すする。
【００２８】
(3).ロック装置
図４は脚３を構成する上アーム８の部分的な斜視図、図５はロック装置における下機構部２２を構成する部材の分離斜視図、図６のうち（Ａ）はロック装置を構成する部材の分離平面図、（Ｂ）はキャッチ部材２３の底面図、（Ｃ）は（Ａ）のＣ−Ｃ視断面図、図７のうち（Ａ）はロック装置を構成する部材の分離正断面図、（Ｂ）は図６（Ｂ）の VIIB-VIIB視断面図、（Ｃ）は図６（Ａ）の VIIC-VIIC視断面図、（Ｄ）は図６（Ａ）の VIID-VIID視断面図、図８のうち（Ａ）は組み立てた状態での図６（Ａ）の VIIIA-VIIIA視断面図、（Ｂ）は（Ａ）のＢ−Ｂ視部分断面図、（Ｃ）はロック状態での（Ｂ）と同じ位置の断面図、（Ｄ）はロック状態での図６（Ａ）の VIID-VIID視箇所の部分断面図である。
【００２９】
ロック装置の下機構部２２は、脚３における上アーム８の上面に固定された金属板製の受け部材２４と、受け部材２４に下方から装着したハンドルホルダー２５と、ハンドルホルダー２５に下方から装着した操作ハンドル２６とから成っている。
【００３０】
受け部材２４は脚３の上アーム８に固定される部分と、上アーム８の内側に張り出した略リング状の部分とを有している。図４から容易に理解できるように脚３の上アーム８は上向きに開口した略樋状になっており、上面には左右側面よりも中心線の側に入り込んだ上向きリブ２７が形成されている。そして、上向きリブ２７を切欠くことにより、受け部材２４が上アーム８に前後ずれ不能に重なるようになっている。
【００３１】
更に、上アーム８には、前後中心線を挟んだ左右２箇所に雌ねじ部２８を設けており、この雌ねじ部２８にねじ込んだ２本のビス２９で受け部材２４が上アーム８に固定されている。従って、受け部材２４にはビス２９が貫通する左右２つのビス穴３１が空いており、左右ビス穴３１の間（すなわち上アーム８の左右中間部）に前部のガイドピン１７がビス３２で固定されている。ガイドピン１７にはビス３１の頭が隠れる座繰り穴があいている。なお、後部のガイドピン１７は上アーム８に形成した雌ねじ部にビスで固定されている。
【００３２】
ハンドルホルダー２５と操作ハンドル２６との説明に先立って、キャッチ部材２３を説明しておく。キャッチ部材２３は合成樹脂製であって略下向き開口の箱状に形成されており、天板２に形成した下向き凹所３３に嵌め込まれている。また、キャッチ部材２３は左右２枚のフランジ部２３ａを有しており、フランジ部２３ａがビス３４で天板２に固定されている。
【００３３】
そして、キャッチ部材２３の内部には、中心から下向きに突出したセンター突起３５と、センター突起３５を挟んで前後両側に配置されたストッパー片３６とが一体に形成されている。ストッパー片３６は請求項に記載した雌型ストッパー部の一例であり、左右中間部には前後両側に凹んだキャッチ凹所３６ａが形成されている。キャッチ部材２３は樹脂製であるためストッパー片３６は、多少は弾性変形し得る。キャッチ部材２３の内周面のうち左右両側の部位には上下長手の補助凹所３７ａが形成されている。
【００３４】
他方、操作ハンドル２６は、人が指を当てて回転操作するための摘まみ部２６ａと、その上に位置したフランジ部２６ｂと、その上に一体に連続した外筒部２６ｃと、外筒部２６c の内側に配置した内ボス部２６ｄと、内ボス部２６ｄの上端にから上向きに突設したストッパー突起３７とを有している。ストッパー突起３７は請求項に記載した雄型ストッパー部の一例であり、平面視で摘まみ部２６ａと同じ方向に長く延びる形状になっており、かつ、両端部は細巾の係止部３７ａになっている。
【００３５】
そして、ストッパー突起３７の平面視の長さ寸法はキャッチ部材２３の補助凹所３７ａの間の間隔寸法によりは大きくて、ストッパー片３６のキャッチ凹所３６ａの間の間隔寸法よりも僅かに大きい寸法になっている。このため、ストッパー突起３７を、キャッチ部材２３における補助凹所３７ａの間に延びる姿勢でキャッチ部材２３の内部に下方より嵌め入れてから、操作ハンドル２６を平面視で時計回りに回転させると、ストッパー突起３７の係止部３７ａがストッパー片３６のキャッチ凹所３６ａに嵌合し、これにより、天板２は前後左右のいずれの方向にもガタ付き不能（水平方向にガタツキ不能）に保持される。
【００３６】
ハンドルホルダー２５は、受け部材２４のうち脚３の内側に露出している部分に下方からずれ不能に嵌まるようになっており、このため、受け部材２４のリング部内に嵌合する環状凸部２５ａと、受け部材２４に形成した角形の位置決め穴３８に嵌合する突起３９と、受け部材２４の側面に重なる壁部２５ｂとを有しており、前後２本のビス４１で受け部材２４に固定されている。
【００３７】
また、ハンドルホルダー２５には、操作ハンドル２６の外筒部２６ｃが嵌まる円形の嵌合穴４２が空いており、これにより、操作ハンドル２６はガタ付きしない状態でかつ回転可能に保持されている。また、操作ハンドル２６の外筒部２６ｃに一対の係合爪４３を形成している。係合爪４３はスリット４４で区画されており、このため係合爪４３は多少は弾性変形し得る。
【００３８】
一方、ハンドルホルダー２５の内周部には、操作ハンドル２６の係合爪４３を弾性に抗して嵌め込み得る一対の下段部４５と、係合爪４３を下段部４５に嵌め入れてから更に操作ハンドル２６を上方に一杯に差し込んでから操作ハンドル２６を平面視で時計回りに回転させる係合爪４３が載る一対の上段部４６６とを形成している。下段部４５は操作ハンドル２６の抜け止め部であり、係合爪４３が下段部４５に載っている状態では、操作ハンドル２６のストッパー突起３７は天板２の下面よりも下方に位置しており、このため天板２を前後にスライドさせ得る。
【００３９】
他方、操作ハンドル２６の係合爪４３がハンドルホルダー２５の上段部４６に載っている状態では、操作ハンドル２６のストッパー突起３７がキャッチ部材２３のキャッチ凹所３６ａに嵌合しており、この状態で操作ハンドル２６は落下不能に保持されている。
【００４０】
以上の説明から理解できるように、天板２を所定の前後位置にセットしてから、操作ハンドル２６をそのストッパー突起３７が左右方向に延びる姿勢で上方に押し込み、次いで、一杯に押し込んでから平面視で時計回りに方向に回転させると、ストッパー突起３７とストッパー片３６とが嵌合し、天板２は前後左右にガタ付き不能に保持（ロックされる）される。操作ハンドル２６の回転角度は、係合爪４３が上段部４５の端部の壁に当たることで規制される。
【００４１】
本実施形態では操作ハンドル２６は回転式であるため、ロックとロック解除とをワンタッチ的に簡単に行える利点がある。また、キャッチ部材２３におけるストッパー片３６の弾性を利用してロック状態が保持されるため、振動等によってロックが解除されることはない。更に、キャッチ部材２３のセンター突起３５が操作ハンドル２６におけるストッパー突起３７の中心穴３７ｂに嵌まっているため、操作ハンドル２６とキャッチ部材２３とはガタ付きのない安定の良い状態に保持されており、これによってガタ付き防止機能が一層向上している。
【００４２】
図９に示すように、左右に隣り合った天板２を一つの脚３で支持することがある（図９では左右の天板２を密着した状態に描いているが、実際には、スライドをスムースならしめるため僅かの隙間を空けている。）。この場合は、図１０に示すように、ロック装置の下機構部２２を脚３の上アーム８に左右に振り分けて固定することにより、左右の天板２は前後スライド可能な状態で脚３に取付けられる。後部のガイドピン１７は、脚３に固定したブラケット材（図示せず）に取付けることになる。左右連結用の専用の部材として、左右のリング部が脚３の左右両側に張り出した一つの受け部材製造して、この一つの受け部材に第１実施形態のハンドルホルダー２５と操作ハンドル２６とを装着することも可能である。
【００４３】
左右に隣り合った天板２を一つの脚３で支持する態様としては、図１１に参考例として示すように、左右の天板２の下面に跨がって延びる１枚の連結板４８を脚３にビス４９で固定し、連結板２８と左右の天板２とをビス５０で固定することも可能である。なお、符号５１は鬼目ナットである。
【００４４】
(4).その他
本願発明は上記の実施形態の他にも様々に具体化できる。例えばスライドガイド装置の具体的な構成は必要に応じて任意に設定できる。また、ロック装置の構成も実施形態に限定されるものではなく、例えば下機構部を２つの部材で構成するといったことも可能である。操作部材は回転式のものには限らず、前後スライド式や上下動式なども採用できる。
【図面の簡単な説明】
【００４５】
【図１】（Ａ）はテーブルの平面図、（Ｂ）は（Ａ）のＢ−Ｂ視断面図である。
【図２】（Ａ）はテーブルの左端部の平面図、（Ｂ）は（Ａ）の一部省略Ｂ−Ｂ視断面図（Ｃ）は（Ａ）のＣ−Ｃ視断面図である。
【図３】天板２の部分的な一部破断裏面図である。
【図４】脚における上アームの部分的な斜視図である。
【図５】ロック装置における下機構部の分離斜視図である。
【図６】（Ａ）はロック装置を構成する部材の分離平面図、（Ｂ）はキャッチ部材２３の底面図、（Ｃ）は（Ａ）のＣ−Ｃ視断面図である。
【図７】（Ａ）はロック装置を構成する部材の分離正断面図、（Ｂ）は図６（Ｂ）の VIIB-VIIB視断面図、（Ｃ）は図６（Ａ）の VIIC-VIIC視断面図、（Ｄ）は図６（Ａ）の VIID-VIID視断面図である。
【図８】（Ａ）は組み立てた状態での図６（Ａ）の VIIIA-VIIIA視断面図、（Ｂ）は（Ａ）のＢ−Ｂ視部分断面図、（Ｃ）はロック状態での（Ｂ）と同じ位置の断面図、（Ｄ）はロック状態での図６（Ａ）の VIID-VIID視箇所の部分断面図である。
【図９】併設支持仕様での部分的な正面図である。
【図１０】併設支持仕様における受け部材の配置態様を示す平面図である。
【図１１】併設支持仕様での参考図である。
【符号の説明】
【００４６】
１  テーブル
２  天板
３  脚装置の一例としての脚（Ｌ脚）
８  脚の上アーム
１４  スライドガイド装置
１５  ロック装置
１６  スライドガイド装置の一環をなす溝型レール
１７  スライドガイド装置の一環を成すガイドピン
２２  ロック装置を構成する下機構部
２３  ロック装置を構成するキャッチ部材
２４  ロック装置を構成するハンドルホルダー
２５  ロック装置を構成する操作ハンドル
３６  雌型ストッパー部の一例としてのストッパー片
３７  雄型ストッパー部の一例としてのストッパー突起
【図１】
2008136795.tif 000003
【図２】
2008136795.tif 000004
【図３】
2008136795.tif 000005
【図４】
2008136795.tif 000006
【図５】
2008136795.tif 000007
【図６】
2008136795.tif 000008
【図７】
2008136795.tif 000009
【図８】
2008136795.tif 000010
【図９】
2008136795.tif 000011
【図１０】
2008136795.tif 000012
【図１１】
2008136795.tif 000013